(57)【要約】      （修正有）【課題】定位効果が良く、組立が簡単な杖の構造を提供する。【解決手段】主な構造要素は、グリップ１０、電気部品２０、支持棒３０、抵触柱４０、筒５０、弾性体６０、ラッチ７０である。該グリップ１０に中空室、内スペース１２を含み、該内スペース１２の壁面に複数の柱１２１を設け、且つ少なくとも片側の周囲に一つの階段部１２２を設ける。該電気部品２０をグリップ１０の中空室に配置する。該支持棒３０をグリップ１０に組立て、且つグリップ１０の内スペース１２を閉塞する。該抵触柱４０はグリップ１０の内スペース１２内に設ける。該筒５０をグリップ１０の内スペース１２内に設置し、筒５０に複数の穴５１を設け、穴５１はグリップ１０の内スペース１２の柱１２１に合わせたものである。グリップ１０の内スペース１２の柱１２１を該穴５１に挿入し、筒５０の少なくとも片側はグリップ１０の内スペース１２の階段部１２２に抵触する。【選択図】図３
0003194455.tif 000002
【実用新案登録請求の範囲】
【請求項１】
グリップ、電気部品、支持棒、抵触柱、筒、弾性体、ラッチを含み、
該グリップに中空室、内スペースを含み、該内スペースの壁面に複数の柱を設け、該内スペースの少なくとも片側の周囲に一つの階段部を設け、
該電気部品をグリップの中空室に配置し、
該支持棒をグリップに組立て、且つグリップの内スペースを閉塞し、
該抵触柱はグリップの内スペース内に設け、
該筒をグリップの内スペース内に設置し、筒に複数の穴を設け、穴はグリップの内スペースの柱に合わせたものであり、グリップの内スペースの柱を該穴に挿入し、筒の片側はグリップの内スペースの階段部に抵触し、
該弾性体を筒の中に設置し、抵触柱に抵触し、
該ラッチをグリップの内スペースの中に設け、ラッチは弾性体に抵触することで、ラッチの片側はグリップの内スペースから突出してグリップの中空室に入り、電気部品を掛止することを特徴とする杖の構造。
【請求項２】
前記電気部品に一つのバッテリーボックスを含み、該バッテリーボックスに複数の制限台及び二枚の導電シートを含み、該制限台と導電シートは互いに結合することを特徴とする請求項１記載の杖の構造。
【請求項３】
前記制限台に一つのスロットを具有し、該スロットは該導電シートを固定することを特徴とする請求項２記載の杖の構造。
【請求項４】
前記制限台に一つのバリア壁を具有し、該バリア壁はＬ字型であることを特徴とする請求項２記載の杖の構造。
【請求項５】
前記ラッチに一つの摩擦防止体を結合することを特徴とする請求項１記載の杖の構造。
【請求項６】
前記摩擦防止体は金属とすることを特徴とする請求項５記載の杖の構造。
【請求項７】
前記電気部品の底側に一つの活動溝を含み、前記のラッチが該活動溝の内側に掛止してスライドして入る、或いは外せることを特徴とする請求項１記載の杖の構造。
【請求項８】
前記活動溝は更に一つの傾斜部を含み、該傾斜部により、前記のラッチが該活動溝にスライドして入る、或いは外す動作の際によりスムーズになることを特徴とする請求項７記載の杖の構造。
【請求項９】
前記グリップの中空室に該電気部品と相対する片側に一つの保存ボックスを結合し、該保存ボックスは該中空室と結合或いは取り出すことができることを特徴とする請求項１記載の杖の構造。
【請求項１０】
前記内スペースの両サイドにそれぞれ階段部を形成することで、筒の両サイドが抵触掛止することを特徴とする請求項１記載の杖の構造。
【考案の詳細な説明】
【技術分野】
【０００１】
本考案は杖の構造に関し、特に内側に筒を設けることで最良な定位効果を具有し、掛止部品により組立が簡単な杖の構造に関する。
【背景技術】
【０００２】
本考案者が以前申請したアメリカの特許申請案第ＵＳ Ｐａｔ. Ｎｏ.５，７２２，４４５号の「多機能の杖ＭＵＬＴＩＰＵＲＰＯＳＥ ＣＡＮＥ」では、グリップ、電気部品、支持棒と掛止部品で構成する。該グリップは一次成型であり、内部に水平方向の中空室を設ける。グリップは下向きに突出して根部を延伸し、根部内の中央部分に中空室と水平方向に垂直な内スペースを設け、該内スペースは円柱型で中空室と連通する。該電気部品をグリップの中空室内に設置し、それに含まれるのはバッテリーボックス、回路基板、電球、スイッチと警告灯である。警告灯は前記中空室の右上の端に接続し、電気部品はグリップの根部の内スペースの位置に対応して設けた窪みの中に設置する。該支持棒の頂端と前記グリップの根部は固定接続する。該掛止部品を前記根部の内スペース内に設置し、抵触柱、筒、スプリングとラッチを含み、抵触柱とスプリングは筒内に相次いで設置し、スプリングの一端を筒から露出してラッチと抵触する。ラッチの頂端は内スペースから突出して中空室に入り、窪みの中で抵触する。このようにして電気部品を抑圧の方法でグリップ内で掛止する。
【０００３】
本考案者は前記特許案を完成した後に満足せず、思考を重ねて更に下記の問題を発見した。
１、筒の外回りに接着剤を塗布してグリップの根部を内スペースに入れて結合する。筒は下側が抵触柱で抵触されているのみで、筒は回りと固定していない。よって時間が経つと接着剤が乾いて割れて効果がなくなると、筒は緩みやすくなる。それによりスプリングとラッチも同じく緩むようになるため、掛止部品の抑圧と掛止する力が弱まり、電気部品も緩くなりやすい。
【０００４】
２、電気部品のバッテリーボックスに数個のバッテリーを置くことができる。バッテリーボックスにはバッテリーのプラスマイナスを正確に並べて入れられるポカヨケ構造が全くないため、ユーザーがバッテリーを設置する際に、プラスマイナスの方向を逆に入れやすく(特に年配者に起こりやすい)、バッテリーボックス内の導電シートの接点と確実に電気接触することができず、回路基板がショートして故障しやすい。
【０００５】
３、ラッチの頂端はグリップの根部の内スペースから突出してグリップの中空室に入り、更に電気部品の窪みの中で抵触し、電気部品を掛止する。よって、ユーザーが数回電気部品をグリップの中空室内に掛止或いは取り出した後、ラッチの摩損状況が著しく悪くなるために、掛止部品の抑圧と掛止する力が弱まり、正常に操作できなくなるほか、電気部品も緩みやすくなることを鑑みて、接着剤を使って筒をグリップの内スペース内と結合する必要がなければ、接着剤が乾いて割れる問題がなくなるため、更なる改善策を案出する必要があった。
【先行技術文献】
【特許文献】
【０００６】
【特許文献１】特開平８−１３１２２５号公報
【考案の概要】
【考案が解決しようとする課題】
【０００７】
前記公知構造の欠点を解決するために、本考案はグリップの内スペースに複数の柱を設け、それを筒の穴に挿入することで、柱と筒がしっかりと結合する。また階段部が筒の片側でストッパーの役割を果たし、筒が緩むのを避けるため、筒の定位効果が上がる。また、掛止部品の組立てが簡単である杖の構造を提供することを主な課題とする。
【課題を解決するための手段】
【０００８】
上述の目的を解決するために、本考案は杖の構造を提供するものであり、グリップ、電気部品、支持棒、抵触柱、筒、弾性体、ラッチを含む。該グリップに中空室、内スペースを含み、該内スペースの壁面に複数の柱を設け、該内スペースの片側の周囲に一つの階段部を設ける。該電気部品を該グリップの中空室に配置する。該支持棒を該グリップに組立て、且つ該グリップの内スペースを閉塞する。該抵触柱は該グリップの内スペース内に設ける。該筒を該グリップの内スペース内に設置し、該筒の周囲に複数の穴を設け、該穴は該グリップの内スペースの柱に合わせたものである。該グリップの内スペースの柱を該穴に挿入し、該筒の片側は該グリップの内スペースの階段部に抵触する。実施例の図では、該内スペースの両サイドにそれぞれ階段部を形成することで、筒の両サイドが抵触掛止する。該弾性体を該筒の中に設置し、抵触柱に抵触する。該ラッチをグリップの内スペースの中に設け、該ラッチは該弾性体に抵触することで、該ラッチの片側は該グリップの内スペースから突出して該グリップの中空室に入り、該電気部品を掛止する。
【０００９】
前記の柱が該筒の穴で結合する構造について、一つの実施例では、該筒をまずモールドの中に入れ、該グリップの構造は、加熱中の流体の熱可塑性材料を該モールドに注入して筒を包み、グリップの内スペースを形成する。該高温の流体の熱可塑性材料をモールドに注入する際に、一定の流体圧力を具有するため、一部の流体が該筒の穴内に注入すると、内スペースの柱構造を形成する。熱可塑性材料が冷却すると、該柱は穴を掛止することができ、筒を内スペース内に固定する。従来技術と比較すると、本考案は接着剤を使って、筒をグリップの内スペース内で結合する必要がなく、接着剤が乾いて割れる問題がなくなる。
【００１０】
該グリップと筒はプラスチックモールドの加工技術を使って成型する際、プラスチックメルトが筒の穴の中に浸透し、自然に該柱を形成し、位置限定の作用を具有する。同時に柱は筒としっかり結合することができ、階段部と合わせて筒の片側でストッパーの役割を果たし、筒が緩むのを避けるため、筒の定位効果が良くなり、且つ掛止部品も組立てやすい。
【考案の効果】
【００１１】
本考案はグリップの内スペースに複数の柱を設け、それを筒の穴に挿入することで、柱と筒がしっかりと結合する。また階段部が筒の片側でストッパーの役割を果たし、筒が緩むのを避けるため、筒の定位効果が上がる。また、掛止部品の組立てが簡単である。
【図面の簡単な説明】
【００１２】
【図１】本考案の立体図である。
【図２】本考案の立体分解図である。
【図３】本考案の組立断面図である。
【考案を実施するための形態】
【００１３】
以下、本考案の構造と特徴および効果を、最良実施例と図面を参照しながら詳細に説明する。
【実施例】
【００１４】
図１から図３に示すように、本考案に含まれるのはグリップ１０、電気部品２０、支持棒３０、抵触柱４０、筒５０、弾性体６０、ラッチ７０である。該グリップ１０に中空室１１、内スペース１２を含み、該内スペース１２の壁面に複数の柱１２１を設け、且つ少なくとも片側の周囲に一つの階段部１２２を設ける。該電気部品２０をグリップ１０の中空室１１に配置する。該支持棒３０をグリップ１０に組立て、且つグリップ１０の内スペース１２を閉塞する。該抵触柱４０はグリップ１０の内スペース１２内に設ける。該筒５０をグリップ１０の内スペース１２内に設置し、筒５０に複数の穴５１を設け、穴５１はグリップ１０の内スペース１２の柱１２１に合わせたものである。グリップ１０の内スペース１２の柱１２１を該穴５１に挿入し、筒５０の少なくとも片側はグリップ１０の内スペース１２の階段部１２２に抵触する。実施例の図では、該内スペース１２の両サイドにそれぞれ階段部１２２を形成することで、筒５０の両サイドが抵触掛止する。弾性体６０を筒５０の中に設置し、抵触柱４０に抵触する。ラッチ７０をグリップ１０の内スペース１２の中に設け、ラッチ７０は弾性体６０に抵触することで、ラッチ７０の片側はグリップ１０の内スペース１２から突出してグリップ１０の中空室１１に入り、電気部品２０を掛止する。該電気部品２０の底側に一つの活動溝２７を含み、該活動溝２７は更に一つの傾斜部２７１を含み、前記電気部品２０がグリップ１０の中空室１１から出し入れする場合、該ラッチ７０は活動溝２７の内側に掛止してスライドして入る、或いは外す際に該電気部品２０を固定する。該傾斜部２７１により、前記のラッチ７０が該活動溝２７にスライドして入る、或いは外す動作の際によりスムーズになる。
【００１５】
前記抵触柱４０、筒５０、弾性体６０とラッチ７０をグリップ１０の内スペース１２の中に設け、且つ掛止部品を構成することで、電気部品２０を弾性的にグリップ１０内に掛止する。一つの製造実施例において、グリップ１０と筒５０をプラスチックモールドの加工技術を使って成型する際に、筒５０をグリップ１０の成型モールド穴の中に配置できるため、該グリップ１０の構造は、加熱中の流体の熱可塑性材料が該モールド穴の中に注入することを利用し、該筒５０を包みながらグリップ１０及び該内スペース１２を形成する。該高温の流体の熱可塑性材料がモールドに注入する際に、一定の流体圧力を具有するため、よって一部の流体が該筒５０の穴５１内に注入されると、内スペース１２の柱１２１構造を形成する。熱可塑性材料が冷却すると、該柱１２１は穴５１を掛止する。柱１２１の温度が下がって硬化すると、位置を限定する作用を具有すると同時に、柱１２１は筒５０としっかり結合する。また、階段部１２２が筒５０の片側でストッパーの役割を果たし、筒５０が緩むのを避けるため、筒５０の定位効果がよくなる。また、グリップ１０と筒５０はプラスチックモールドの加工技術を使って一次成型で結合しているため、抵触柱４０、筒５０、弾性体６０、ラッチ７０で構成する掛止部品が更に組立て易くなる。
【００１６】
一つの構造実施例において、該電気部品２０に含まれるのはバッテリーボックス２１、回路基板２２、ライト本体２３、スイッチ２４及び警告灯２５である。該バッテリーボックス２１に複数の制限台２１１、制限台２１２及び二枚の導電シート２１３を含み、該制限台２１１に一つのスロット２１１１、制限台２１２に一つのスロット２１２１を具有することで、それぞれ導電シート２１３を片側に嵌めて固定し、該導電シート２１３は二つの接点２１３１を具有する。
【００１７】
一つの構造実施例において、バッテリーのプラス極に対応する少なくとも一つの制限台２１１に一つのバリア壁２１１２を具有し、該バリア壁２１１２はＬ字型である。本実施例の図では二つの制限台を具有し、それぞれに具有するバリア壁２１１２はＬ字型であり、それをバッテリーボックス２１の中に入れ、バッテリー２６のプラス極(突出のある方)を入れることで、導電シート２１３の接点２１３１と電気接触する。よって、制限台２１１は一つのポカヨケ構造となり、ユーザーがバッテリー２６のプラスマイナス極を正確にバッテリーボックス２１に入れていない場合、該Ｌ字型バリア壁２１１２はマイナス極が該導電シート２１３に接触するのを制限するため、ショートが生じない。バッテリー２６のプラスマイナス極を毎回設置する際に、いずれも正確に電気接触の導電シート２１３の接点２１３１と接するため、回路基板２２が焼ける、故障する状況にならない。
【００１８】
一つの構造実施例において、ラッチ７０の上に一つの穴７３を含み、該穴７３は一つの摩擦防止体７１を結合し、或いはラッチ７１の上側で直接一つの摩擦防止体７１と結合することができる。該摩擦防止体７１は金属或いはセラミック、石材などの耐摩材を使用することができ、ラッチ７１が電気部品２０に掛止する際に生じる摩損を減らす。
【００１９】
本考案の一つの実施例として、該グリップ１０の中空室１１に該電気部品２０と相対する片側に一つの保存ボックス２８を結合する。該保存ボックス２８は該中空室１１と結合或いは取り出すことができる。該保存ボックス２８は救急薬品やバッテリー、小銭などを入れることができ、ユーザーはこの杖を使用すると同時に、必要な薬品や必需品を杖に入れて随時携帯することができる。
【００２０】
本考案はグリップの内スペースに複数の柱を設け、それを筒の穴に挿入することで、柱と筒がしっかりと結合する。また階段部が筒の片側でストッパーの役割を果たし、筒が緩むのを避けるため、筒の定位効果が上がる。また、掛止部品の組立てが簡単である。
【００２１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２２】
１０  グリップ
１１  中空室
１２  内スペース
１２１  柱
１２２  階段部
２０  電気部品
２１  バッテリーボックス
２１１  制限台
２１１１  スロット
２１１２  バリア壁
２１２  制限台
２１２１  スロット
２１３  導電シート
２１３１  接点
２２  回路基板
２３  ライト本体
２４  スイッチ
２５  警告灯
２６  バッテリー
２７  活動溝
２７１  傾斜部
２８  保存ボックス
３０  支持棒
４０  抵触柱
５０  筒
５１  穴
６０  弾性体
７０  ラッチ
７１  摩擦防止体
７３  穴
【図１】
0003194455.tif 000003
【図２】
0003194455.tif 000004
【図３】
0003194455.tif 000005
【手続補正書】
【提出日】平成26年9月30日(2014.9.30)
【手続補正１】
【補正対象書類名】図面
【補正対象項目名】図２
【補正方法】変更
【補正の内容】
【図２】
0003194455.tif 000006